(57)【要約】  【課題】  角部に外力が加えられても変形しにくいようにするとともに、良好な外観を備えるようにした食品用包装袋およびその製造方法を提供する。  【解決手段】  ヒートシール性を有する裏面とヒートシール性を有しない表面とからなる複合フィルム１によって三角形状の一対の側面部Ａ，Ａが構成され、ヒートシール性を有するプラスチックフィルム２によって前記一対の側面部Ａ，Ａの各側縁Ｅ，Ｅに架設される四角形状の正面部Ｃと背面部Ｂとが構成され、側面部Ａ，Ａと正面部Ｃおよび背面部Ｂとの各側縁Ｅ，Ｅ…とがヒートシールされることにより、各側縁Ｅ，Ｅに補強された帯状のシール部３，３…を形成したものとする。【選択図】  図１
2005132409.tif 000002
【特許請求の範囲】
【請求項１】
ヒートシール性を有する裏面とヒートシール性を有しない表面とからなる複合フィルムによって一対の側面部が構成され、ヒートシール性を有するプラスチックフィルムによって前記一対の側面部の各側縁に架設される正面部と背面部とが構成され、側面部と正面部および背面部との各側縁とがヒートシールされることにより、各側縁に補強された帯状のシール部が形成されていることを特徴とする食品用包装袋。
【請求項２】
前記側面部はほぼ三角形状であり、前記正面部と背面部は四角形状であることを特徴とする請求項１に記載の食品用包装袋。
【請求項３】
前記複合フィルムは、ヒートシール性を有しない紙の裏面にヒートシール性を有するプラスチックを積層したものであることを特徴とする請求項１または２に記載の食品用包装袋。
【請求項４】
前記複合フィルムは、ヒートシール性を有しないプラスチックの裏面にヒートシール性を有するプラスチックを積層したものであることを特徴とする請求項１または２に記載の食品用包装袋。
【請求項５】
ヒートシール性を有する一対の帯状のプラスチックシートを重なり合うように繰り出し、ヒートシール性を有する裏面とヒートシール性を有しない表面とからなる帯状の複合シートを、表面が重なり合うように二つ折りにした状態で、折り曲げられた側の内縁が前記プラスチックシートの先行側の端縁と一方の側縁とに交差する方向の斜掛けとして一対のプラスチックシート間に挟み込む工程と、
ヒートシール性を有する裏面とヒートシール性を有しない表面とからなる帯状の複合シートを、表面が重なり合うように二つ折りにした状態で、折り曲げられた側の内縁が前記プラスチックシートの先行側の端縁と他方の側縁とに交差する方向の斜掛けとして一対のプラスチックシート間に挟み込む工程と、
前記一対のプラスチックシートの両側縁と前記複合シートの裏面とを帯状にヒートシールし、各側縁に補強された帯状のシール部を形成する工程と、
前記一対のプラスチックシートの両側縁から突出している複合シートの余分を切除し、一対のプラスチックシート間に一対のほぼ三角形状の側面部を設ける工程と、
前記両側面部の頂部を結ぶラインで一対のプラスチックシートを幅方向にシールすることによってシール部を設け、このシール部から下流側のプラスチックシートに正面部および背面部を設ける工程と、
前記一対のプラスチックシートの先行側の端縁から突出している複合シートの余分を切除する工程と、
前記シール部よりも上流側で一対のプラスチックシートを切断する工程とを有していることを特徴とする食品用包装袋の製造方法。
【請求項６】
前記一対のプラスチックシートは、複合シートをはみ出す状態に挟み込むことを特徴とする請求項５に記載の食品用包装袋の製造方法。
【請求項７】
前記一対のプラスチックシート間に複合シートを挟み込んだ後に、重なり合っているプラスチックシートの側縁と複合シートとを全長にわたってヒートシールすることを特徴とする請求項５または６に記載の食品用包装袋の製造方法。
【発明の詳細な説明】
【技術分野】
【０００１】
本発明は、サンドイッチやカステラなどの食品（以下、主として「サンドイッチ」という。）を包装する食品用包装袋およびその製造方法に関し、特に、一対の側面部と、この側面部の各側縁に架設される正面部と背面部とを備えている食品用包装袋およびその製造方法に関する。
【背景技術】
【０００２】
直角三角形のサンドイッチは、例えば図７ないし図９に示すような食品用包装袋に包装されて販売されている。この食品用包装袋は、図７に示すように、重ね合わされている台形状の透明な表フィルム１１１および裏フィルム１１２の両側縁１１１ａ，１１２ａがシールされ、幅の狭い一端（以下、「上端」という。）が突片状に突出しているヘッダ部１１０ｄとされ、幅の広い他端（以下、「下端」という。）がサンドイッチＳ（図８参照）の挿入口となる開口部１１３とされた袋本体１１０を中心に構成されている。
【０００３】
そして、開口部１１３を開口しやすいようにするため、表フィルム１１１が裏フィルム１１２よりも短く形成され、裏フィルム１１２の下端が表フィルム１１１の下端よりも突出するようにされ（図７では、裏フィルム１１２を表フィルム１１１の上に重ねて描いてある。）、あるいは、裏フィルム１１２が表フィルム１１１よりも短く形成されている。
【０００４】
また、ヘッダ部１１０ｄの下端には、帯状にシールされたシール部１１４が設けられ、袋本体１１０は、このシール部１１４と両側縁１１１ａ，１１２ａのシールとによって開口部１１３を有する袋状に構成されている。他方、ヘッダ部１１０ｄを構成している表フィルム１１１の突片１１１ｄと裏フィルム１１２の突片１１２ｄとは、重ね合わされ、周囲がシールされている。
【０００５】
そして、裏フィルム１１２の突片１１２ｄのほぼ中心部には、例えば逆Ｕ字形の切込線１１６が入れられ、切込線１１６の内側が摘み上げることのできる舌片状の摘み片１１７とされている。なお、切込線１１６の両端部は、シール部１１４内に設けられてもよい。
【０００６】
さらに、裏フィルム１１２の内側面には、摘み片１１７の位置からシール部１１４を交差して開口部１１３付近まで、裏フィルム１１２を引き裂くための細い帯状の切断手段（以下、「カットテープ」という。）１１９が貼着されている。
【０００７】
一方、表フィルム１１１の内面の中央には、内フィルム１４０が貼着されており、例えばゆで卵とマヨネーズなどをミックスした具材のサンドイッチが袋本体１１０内に収納されても、この具材が内フィルム１４０に付着することにより、表フィルム１１１が汚れることなく、外観が損なわれないようにされている。
【０００８】
このような袋本体１１０を構成している表フィルム１１１と裏フィルム１１２および内フィルム１４０は、低コストで通気性の低い食品包装用のプラスチックフィルム、例えばポリプロピレンなどが使用され、開封性や経済性などの観点から20〜80μｍの厚さとされている。
【０００９】
そして、重ね合わされた表フィルム１１１と裏フィルム１１２は、図８に示すように開口部１１３が長方形状に開口されることにより、裏フィルム１１２および表フィルム１１１の各側縁１１１ａ，１１２ａに跨った部分が一対の対向する三角形状の側面部Ａ，Ａとなり、裏フィルム１１２の中間部分が長方形状の背面部Ｂとなり、そして表フィルム１１１の中間部分が長方形状の正面部Ｃとなり、袋本体１１０内に空間１１０ａが形成される。この空間１１０ａ内にサンドイッチＳが収納されると、三角形状に切られた外側のパンが側面部Ａと接合し、切り口が背面部Ｂと正面部Ｃに接合する。
【００１０】
そして、開口部１１３側の表フィルム１１１と裏フィルム１１２は、図９に示すように折り込まれて底部Ｄとされ、この底部Ｄは粘着テープ（図示せず）などによって封緘され、サンドイッチＳが包装される。
【００１１】
包装されたサンドイッチＳを食するには、片方の手の指でヘッダ部１１０ｄを摘み、他方の手の指で裏フィルム１１２の突片１１２ｄに設けられた摘み片１１７を摘んで真っ直ぐ下方向へ引っ張る。すると、カットテープ１１９が裏フィルム１１２のシール部１１４を裁断し、さらに真っ直ぐ下方向に引っ張ることにより、裏フィルム１１２を下方へ引き裂く。裏フィルム１１２が底部Ｄの方まで引き裂かれることにより、食品用包装袋は開封され、サンドイッチＳを取り出すことができる。
【００１２】
なお、包装されたサンドイッチを型崩れさせずに容易に開封することができるようにしたサンドイッチ用包装具が登録実用新案第３０５２６４８号公報に開示されている。
【特許文献１】登録実用新案第３０５２６４８号公報
【発明の開示】
【発明が解決しようとする課題】
【００１３】
特許文献１に開示されたサンドイッチ用包装具を含めて、従来の食品用包装袋は、表フィルム１１１と裏フィルム１１２が重ね合わされた状態で両側縁１１１ａ，１１２ａがシールされ、開口部１１３が長方形状に開口されることにより、側面部Ａ、背面部Ｂおよび正面部Ｃが形成される。したがって、側面部Ａと背面部Ｂおよび正面部Ｃとの角部は、裏フィルム１１２および表フィルム１１１が曲げられて折り目のない状態となっている。
【００１４】
そのため、側面部Ａと背面部Ｂおよび正面部Ｃとの角部は剛性がなく、変形しやすく、搬送中や陳列中などにおいて、衝撃力が加えられると、包装されたサンドイッチは、型崩れし、商品価値が低下することがある。
【００１５】
また、両フィルム１１１，１１２をシールした両側縁１１１ａ，１１２ａは、継ぎ合わされて線条が入った状態となっている。この線条は、側面部Ａを目立つように斜め方向に横切るため、外観を損ねている。
【００１６】
そこで、本発明は、角部に外力が加えられても変形しにくいようにするとともに、良好な外観を備えるようにした食品用包装袋およびその製造方法を提供することを課題とする。
【課題を解決するための手段】
【００１７】
本発明に係る食品用包装袋は、ヒートシール性を有する裏面とヒートシール性を有しない表面とからなる複合フィルムによって一対の側面部が構成され、ヒートシール性を有するプラスチックフィルムによって前記一対の側面部の各側縁に架設される正面部と背面部とが構成され、側面部と正面部および背面部との各側縁とがヒートシールされることにより、各側縁に補強された帯状のシール部が形成されていることを特徴としている。
【００１８】
この食品用包装袋によれば、複合フィルムのヒートシール性を有する裏面とプラスチックフィルムとが重ね合わされ、複合フィルムによって構成される側面部とプラスチックフィルムによって構成される正面部および背面部との両側縁がヒートシールされることにより、この各側縁に補強された帯状のシール部が形成される。この帯状のシール部は、側面部と正面部および背面部との両側縁がヒートシールされ、柱状になって補強されていることにより、各側縁に衝撃力が加えられても変形しにくく、包装された食品は、型崩れしにくいようにすることができる。また、帯状のシール部はシャープな外観を呈し、側面部には線条のような継ぎ目が形成されないため、外観を良好にすることができる。
【００１９】
また、前記食品用包装袋において、前記側面部はほぼ三角形状であり、前記正面部と背面部は四角形状であることが好ましい。
【００２０】
この食品用包装袋によれば、側面部がほぼ三角形状とされることにより、三角形状の食品を好適に包装することができる。
【００２１】
また、前記食品用包装袋において、前記複合フィルムは、ヒートシール性を有しない紙の裏面にヒートシール性を有するプラスチックを積層したものであることが好ましい。
【００２２】
この食品用包装袋によれば、側面部を構成する複合フィルムは、紙が表面に露出することにより、高級感を醸し出すことができる。また、複合フィルムは、裏面がヒートシール性を有するプラスチックによって構成されているため、複合フィルムの裏面とプラスチックフィルムとは、重なり合った状態で各側縁をヒートシールし、帯状のシール部を形成することができる。
【００２３】
また、前記食品用包装袋において、前記複合フィルムは、ヒートシール性を有しないプラスチックの裏面にヒートシール性を有するプラスチックを積層したものであってもよい。
【００２４】
この食品用包装袋によれば、複合フィルムがヒートシール性を有しないプラスチックとヒートシール性を有するプラスチックとを積層したものとすることにより、側面部を構成する複合フィルムは、正面部と背面部とを構成するプラスチックフィルムよりも厚くして、側面部は耐衝撃性を強くすることができる。また、複合フィルムは、裏面がヒートシール性を有するプラスチックによって構成されているため、複合フィルムの裏面とプラスチックフィルムとは、重なり合った状態で各側縁をヒートシールし、柱状の角部を形成することができる。
【００２５】
また、本発明に係る食品用包装袋の製造方法は、ヒートシール性を有する一対の帯状のプラスチックシートを重なり合うように繰り出し、ヒートシール性を有する裏面とヒートシール性を有しない表面とからなる帯状の複合シートを、表面が重なり合うように二つ折りにした状態で、折り曲げられた側の内縁が前記プラスチックシートの先行側の端縁と一方の側縁とに交差する方向の斜掛けとして一対のプラスチックシート間に挟み込む工程と、ヒートシール性を有する裏面とヒートシール性を有しない表面とからなる帯状の複合シートを、表面が重なり合うように二つ折りにした状態で、折り曲げられた側の内縁が前記プラスチックシートの先行側の端縁と他方の側縁とに交差する方向の斜掛けとして一対のプラスチックシート間に挟み込む工程と、前記一対のプラスチックシートの両側縁と前記複合シートの裏面とを帯状にヒートシールし、各側縁に補強された帯状のシール部を形成する工程と、前記一対のプラスチックシートの両側縁から突出している複合シートの余分を切除し、一対のプラスチックシート間に一対のほぼ三角形状の側面部を設ける工程と、前記両側面部の頂部を結ぶラインで一対のプラスチックシートを幅方向にシールすることによってシール部を設け、このシール部から下流側のプラスチックシートに正面部および背面部を設ける工程と、前記一対のプラスチックシートの先行側の端縁から突出している複合シートの余分を切除する工程と、前記シール部よりも上流側で一対のプラスチックシートを切断する工程とを有していることを特徴としている。
【００２６】
この食品用包装袋の製造方法によれば、食品用包装袋を連続して製造することができる。すなわち、ヒートシール性を有する一対の帯状のプラスチックシートは、切断される前の工程において、幅方向のシール部が設けられることにより、このシール部よりも下流側に四角形の正面部と背面部が設けられ、先行側の端縁が開口部となる。そして、帯状の複合シートは、表面が重なり合うように二つ折りにされた状態で、重なり合った一対の帯状のフィルムシート間に斜掛けとして挟み込まれる。換言すれば、一対のフィルムシートは、２本の複合シートを平面視でＶ字形に挟む状態となる。また、各フィルムシートからはみ出している複合シートの余分が切除されることにより、一対のプラスチックシート間にほぼ三角形状の側面部が形成される。
【００２７】
そして、プラスチックシートと複合シートのヒートシール性を有する裏面とが重なり合い、プラスチックシートの両側縁と複合シートとが帯状にヒートシールされることにより、側面部と正面部および背面部の各側縁に補強された帯状のシール部が形成される。そして、前記幅方向のシール部よりも上流側のプラスチックシートが切断されることにより、一対のプラスチックシートおよび複合シートから分離した食品用包装袋が完成する。
【００２８】
なお、プラスチックシートの両側縁から突出している複合シートの余分とプラスチックシートの先行側の端縁から突出している複合シートの余分は、切断装置の位置などの制約から通常、別の工程で切除されるが、両余分は同時に切除するようにしてもよい。また、プラスチックシートの先行側の端縁から突出している複合シートの余分を切除する工程と、シール部の上流側で一対のプラスチックシートを切断する工程とを同一工程とすることもできる。
【００２９】
また、本発明に係る食品用包装袋の製造方法において、前記一対のプラスチックシートは、複合シートをはみ出す状態に挟み込むことが好ましい。
【００３０】
この食品用包装袋の製造方法によれば、一対のプラスチックシートが複合シートをはみ出す状態に挟み込むことにより、プラスチックシートと複合シートとはプラスチックシートの先行側の端縁までヒートシールされる。したがって、一対のプラスチックシートが複合シートからはみ出しているときは、プラスチックシートの先行側の端縁まで側面部を設けることができる。逆に、一対のプラスチックシートが複合シートをはみ出さないように挟み込むときは、プラスチックシートの先行側の端縁付近に複合シートが存在しないため、複合シートによって形成される側面部に切欠き部が形成される状態となり、また、プラスチックシートの先行側の端縁付近が重なり合うため、この部分がヒートシールされないようにし、あるいは、ヒートシールされるときはこのヒートシールされた部分を切除しなければならない。
【００３１】
また、本発明に係る食品用包装袋の製造方法において、前記一対のプラスチックシート間に複合シートを挟み込んだ後に、重なり合っているプラスチックシートの側縁と複合シートとを全長にわたってヒートシールすることが好ましい。
【００３２】
プラスチックシートは通常、間歇的に搬送されるため、複合シートが一対のプラスチックシート間に単に挟まれただけであると、位置ずれしやすくなっているが、この食品用包装袋の製造方法によれば、複合シートの側面部となる側縁と、プラスチックシートの正面部および背面部となる側縁とが全長にわたってヒートシールされることにより、複合シートが一対のフィルムシートに所期の位置で挟まれて続けて搬送され、複合シートの余分を切除することができる。
【発明の効果】
【００３３】
本発明によれば、食品用包装袋は、ヒートシール性を有する裏面とヒートシール性を有しない表面とからなる複合フィルムによって構成されている一対の側面部の各側縁に、ヒートシール性を有するプラスチックフィルムによって構成されている正面部と背面部とが架設されるようにして、正面部および背面部と側面部の各側縁がヒートシールされることにより、この側縁は帯状のシール部が形成され、柱状になって補強されているため、衝撃力が加えられても、変形しにくいようになっている。したがって、包装された食品は、型崩れせず、売れ残りが生じないようにすることができる。さらに、本発明に係る食品用包装袋は、各側縁が柱状に補強されたシール部によって変形しにくくなっているいため、柔らかなスポンジケーキなどを包装することもできるようになる。
【００３４】
また、帯状のシール部は、シャープな形状であり、清潔感が発揮されるため、商品の売上の向上に寄与することができる。そして、側面部は、線条のような継ぎ目が形成されないため、外観が美麗となり、高級な食材で作られた食品を包装するのにふさわしい食品用包装袋を提供することができる。したがって、高級な食材で作られた食品は、通常の食材で作られた食品と異なる食品用包装袋で包装され、差別化して販売することができるようになる。
【発明を実施するための最良の形態】
【００３５】
本発明に係る食品用包装袋の一実施形態について、図１から図６を参照しながら説明する。
【００３６】
本実施形態の食品用包装袋は、例えば三角形状のサンドイッチのような食品（図示しないが、以下、「サンドイッチ」として説明する。）を包装するもので、図１に示すように、ヒートシール性を有する裏面とヒートシール性を有しない表面とからなる複合フィルム１によって三角形状の側面部Ａ，Ａが構成され、ヒートシール性を有するプラスチックフィルム２によって四角形状の正面部Ｃと背面部Ｂとが構成されている。側面部Ａ，Ａは、平行に対峙するように一対配置され、正面部Ｃと背面部Ｂは、一対の側面部Ａ，Ａの各側縁Ｅ，Ｅに架設される。なお、食品用包装袋は、使用態様によって様々な方向を向くが、ここでは、三角形状の側面部Ａの頂部が上側になるとして説明する。
【００３７】
側面部Ａを構成している複合フィルム１は、ヒートシール性を有しない紙の裏面にヒートシール性を有するポリプロピレンを溶かした状態で塗布し、紙とポリプロピレンとを二層に積層したものが使用される。この複合フィルム１の紙が側面部Ａの表面となることにより、紙の風合いが高級感を醸し出し、高級な食材を使用したサンドイッチを好適に包装することができる。
【００３８】
さらに、複合フィルム１は、ヒートシール性のない二軸延伸ポリプロピレンなどのようなプラスチックとヒートシール性のある無延伸ポリプロピレンなどのようなプラスチックとを積層することにより、または、前記両ポリプロピレンを共押し出しすることにより、全てをプラスチックによって構成することもできる。このように、複合フィルム１がプラスチックを積層したものとされることにより、剛性が大きくなり、側面部Ａに衝撃力が加えられても変形しにくく、収納されているサンドイッチが型崩れしにくいようにすることができる。また、複合フィルム１が全てをプラスチックによって構成されていると、側面部Ａが透明となり、側面部Ａ側から内部を目視することができる。
【００３９】
一方、ヒートシール性を有するプラスチックフィルム２は、具体的には例えば厚さが20〜50μｍのポリプロピレンなどが使用され、両面ともヒートシール性を有している。複合フィルム１は、裏面がヒートシール性を有しているため、この裏面とヒートシール性を有しているプラスチックフィルム２とが重ね合わされ、この正面部Ｃおよび背面部Ｂと側面部Ａとの両側縁Ｅ，Ｅがヒートシールされることにより、この側縁Ｅ，Ｅに補強された帯状のシール部３，３…が柱状に形成される。シール部３，３…は、側面部Ａが三角形状であるため、側面方向から見たときに、一対の対峙する逆Ｖ字形に形成される。また、シール部３，３…は、柱状に形成されることによって、外力が加えられても変形しにくくなり、さらに正面部Ｃ、背面部Ｂおよび側面部Ａの各側縁Ｅ，Ｅ…がシャープな形状となることから、外観が美麗となる。
【００４０】
このような正面部Ｃ、背面部Ｂおよび側面部Ａの下端縁は、シールされないで、サンドイッチを収納するための開口部とされている。そして、正面部Ｃおよび背面部Ｂの上側部分は、２枚のプラスチックフィルム２，２が重なり合ってヘッダ部４が設けられている。ヘッダ部４は、開封するときに、摘むことができるようにするためのものであるが、装飾模様や商標などが付される。このヘッダ部４の周囲はシールされているが、正面部Ｃおよび背面部Ｂとの境界部のシール部５は、帯状に幅広とされている。またヘッダ部４は、デザイン上、図１に示すような台形状に形成されるほか、長方形状や雲形形状など任意の形状とすることができる。
【００４１】
そして、正面部Ｃを構成しているプラスチックフィルム２の裏面には、正面部Ｃを汚さないようにするための内フィルム（図示せず）が貼付されている。また、背面部Ｂを構成しているプラスチックフィルム２の裏面には、ヘッダ部４から開口部付近まで細い帯状の切断手段（カットテープ）６が貼着されている。このカットテープ６の上端部を囲むように背面部Ｂ側のプラスチックフィルム２のヘッダ部４に、逆Ｕ字形の切込み７が入れられ、切込み７の内側が摘み片８とされている。
【００４２】
このような食品用包装袋は、正面部Ｃ側と背面部Ｂ側の両プラスチックフィルム２，２が重ね合わされ、かつ、この両プラスチックフィルム２，２間で両側面部Ａ，Ａの複合フィルム１が二つ折りにされた状態から、開口部を長方形状に開口することにより、空間部が形成される。そして、サンドイッチを開口部から空間部内に収納し、開口部側のプラスチックフィルム２と複合フィルム１とを折り込むことによって底部Ｄを形成し、この底部Ｄを粘着テープ（図示せず）などによって封緘すると、食品用包装袋は図１に示すようにサンドイッチを包装した状態となる。
【００４３】
この食品用包装袋は、正面部Ｃおよび背面部Ｂと側面部Ａとの各側縁Ｅ，Ｅに補強された帯状のシール部３，３…が柱状に形成されていることから、各側縁Ｅ，Ｅ…に衝撃力が加えられても凹んだりせず、包装されたサンドイッチが変形しにくいようにされている。また、各側縁Ｅ，Ｅ…がシャープな形状となり、さらに、側面部Ａに継ぎ目が形成されていないため、美麗な外観となっている。
【００４４】
ここで、このような食品用包装袋の製造方法について図２ないし図６を参照しながら説明する。食品用包装袋は、ヒートシール性を有する一対の帯状のプラスチックシート２０，２０と、ヒートシール性を有する裏面とヒートシール性を有しない表面とからなる一対の帯状の複合シート１０，１０とから製造する。
【００４５】
各プラスチックシート２０，２０は前記プラスチックフィルム２，２の原反であり、図２に示すように、上下方向に対峙したロール（図示せず）から繰り出され、離隔した状態で間歇的に搬送される。そして、例えば、正面部Ｃとして使用される上側のプラスチックシート２０は、蛇行して、裏面側が上向きとなった位置で、所定の長さに切断された内フィルム９が貼着される。他方、背面部Ｂとして使用される下側のプラスチックシート２０は、直進し、上向きとなっている裏面に所定の長さに切断されたカットテープ６が貼着され、さらに、カットテープ６の上流側の端部を囲むように切込み７（図１参照）が入れられる。
【００４６】
そして、例えば図３に示すように、一対のプラスチックシート２０，２０は、重ね合わされた状態で下流側へ間歇的に搬送され（図３において左から右方向）、一対のプラスチックシート２０，２０間に斜め方向（図３において左上から右下方向）に複合シート１０を挟み込む。複合シート１０は前記複合フィルム１の原反であり、ヒートシール性を有しない表面が内側となって重なり合い、ヒートシール性を有する裏面が外側となるように二つ折りにされている。
【００４７】
したがって、一対のプラスチックシート２０，２０間に挟まれた複合シート１０は、外側の各裏面が上下のプラスチックシート２０，２０と重なり合う。そして、二つ折りにされた複合シート１０が折り曲げられた側の内縁１１がプラスチックシート２０，２０の先行側の端縁２１，２１と左側の側縁２２，２２とに交差する方向の斜掛けとして、折り曲げられていない側の外縁１２，１２がプラスチックシート２０，２０の左側の側縁２２，２２よりも外側に位置し、一対のプラスチックシート２０，２０から左方向にはみ出す状態で挟まれる。
【００４８】
そして、複合シート１０と一対のプラスチックシート２０，２０の左側の側縁２２，２２とが重なり合っている全長にわたって帯状にヒートシールし、シール部３を形成する。複合フィルム１は、プラスチックフィルム２と重なり合っている裏面側がヒートシール性を有しているため、プラスチックフィルム２とヒートシールされる。一方、複合フィルム１の表面は、ヒートシール性を有していないため、複合フィルム１の表面同士が重なり合っていてもヒートシールされることはない。したがって、ヒータが一対のプラスチックシート２０，２０を両面から挟むようにして、プラスチックフィルム２，２の側縁２２，２３と複合フィルム１とをヒートシールすることができる。
【００４９】
このヒートシールによって、複合シート１０がプラスチックシート２０に固定され、プラスチックシート２０が間歇的に搬送されても、挟まれた複合シート１０はプラスチックシート２０の所定の位置からずれないようにされている。
【００５０】
続いて、前記複合シート１０と異なる複合シート１０を二つ折りとし、図４に示すように、一対のプラスチックシート２０，２０間に斜め方向（図４において左下から右上方向）に挟み込む。この複合シート１０も、ヒートシール性を有しない表面が内側となって重なり合い、ヒートシール性を有する裏面が外側となるように二つ折りとされている。この複合シート１０の折り曲げられた側の内縁１１は、プラスチックシート２０，２０の先行側の端縁２１，２１と右側の側縁２３，２３とに交差する方向の斜掛けとされ、折り曲げられていない側の外縁１２，１２がプラスチックシート２０，２０の右側の側縁２３，２３よりも外側に位置し、一対のプラスチックフィルム２，２から右方向にはみ出す状態で挟まれる。
【００５１】
そして、この複合シート１０と一対のプラスチックシート２０，２０の右側の側縁２３，２３とが重なり合っている全長にわたって帯状にヒートシールし、シール部３を形成することによって、複合シート１０が位置ずれしないようにする。また、２本の複合シート１０は先端部分で重なり合う。なお図４では、左側の複合シート１０が右側の複合シート１０の上に重なっている場合を図示しているが、逆となる場合もある。
【００５２】
そして、図５に示すように、プラスチックシート２０，２０の両側縁２２，２２，２３，２３から突出している複合シート１０，１０の余分１３，１３を切除することにより、複合フィルム１によって一対のほぼ三角形状の側面部Ａ，Ａを形成する。ただし、この側面部Ａ，Ａの先行側の下端縁には、プラスチックシート２０の先行側の端縁２１，２１から突出する複合フィルム１の余分１４，１４が残存している。
【００５３】
そして、図６に示すように、一対の側面部Ａ，Ａの頂部を結ぶラインで、重なり合っている一対のプラスチックシート２０，２０を帯状にシールして、シール部５を設け、このシール部５よりも下流側のプラスチックシート２０，２０に正面部Ｃと背面部Ｂを設け、シール部５よりも上流側にヘッダ部４を設ける。なお、このヘッダ部４を設ける部分まで、前記シール部３，３を設けることにより、側面部Ａ，Ａの頂部にシールされない部分が形成されないようにすることができる。また、このシール部５は、下側のプラスチックシート２０に貼着されたカットテープ６（図１参照）の上流側の端部付近と交差する。
【００５４】
そして、プラスチックシート２０の下流側の端縁から突出している複合シート１０の余分１４，１４を切断するとともに、ヘッダ部４の上流側端縁４ａを溶断シールし、後行のプラスチックシート２０，２０から分離することにより、食品用包装袋を形成する。また、ヘッダ部４の両側縁４ｂ，４ｂを斜め方向に溶断シールすることにより、ヘッダ部４を台形状とした食品用包装袋が完成する。
【００５５】
ヘッダ部４を台形状ではなく、長方形状とするときは、プラスチックシート２０，２０の両側縁２３，２３と複合シート１０とをヒートシールし、シール部３，３を形成すると同時に、ヘッダ部４の側部もヒートシールするようにしてもよい。また、ヘッダ部４を台形状に形成するときであっても、幅方向と斜め方向を同時に溶断シールするようにしてもよい。
【００５６】
そして、プラスチックシート２０，２０の先行側の端縁２１，２１はヒートシールされず、開口部Ｆとされる。この開口部Ｆが四角形状に開口されることにより、食品用包装袋内に三角形状の空間部が形成され、この空間部にサンドイッチを収納し、底側のプラスチックシート２０，２０と複合シート１０，１０とを折り込むことによって底部を形成し、この底部を封緘すると、図１に示すようなサンドイッチを包装した状態となる。
【００５７】
なお、本発明は、前記の実施形態に限定することなく、特許請求の範囲に記載した技術的事項の範囲内において種々変更することができる。例えば、複合フィルム１および複合シート１０は、不織布の裏面にヒートシール性を有するプラスチックフィルムを積層したものとすることもできる。一方、ヒートシール性を有するプラスチックフィルム２およびプラスチックシート２０は、複合フィルム１および複合シート１０と重なり合う側の片面のみヒートシール性を有するものとすることもできる。また、側面部Ａは三角形状に替えて四角形状とし、逆に、正面部Ｃと背面部Ｂは四角形状に替えて三角形状とすることもできる。
【００５８】
また、複合シート１０，１０の折り曲げられていない側の外縁１２，１２も一対のプラスチックシート２０，２０の先行側の端縁２１，２１と側縁２２，２２とに交差する斜掛けとし、プラスチックシート２０，２０の先行側の端縁２１，２１側の角部が複合シート１０，１０を挟まないようにすることもできる。この場合は、プラスチックシート２０，２０の先行側の端縁２１，２１付近には複合シート１０，１０が存在しないため、側面部Ａ，Ａの下端部は切欠きが形成される。したがって、包装されるサンドイッチは、この切欠に影響のない小さなサイズのものに限定される。また、一対のプラスチックシート２０，２０が重なり合うため、ヒータはこの部分をヒートシールしない長さのものが使用され、あるいは、この部分がヒートシールされる場合は、ヒートシールされた部分のプラスチックシート２０，２０を切除するようにする。
【００５９】
また、一対のプラスチックシート２０，２０間に二つ折りにされた複合シート１０を挟み込んだ直後に、重なり合っているプラスチックシート２０，２０の側縁と複合シート１０のとを全長にわたってヒートシールせず、一旦、ポイントシールし、２枚の複合シート１０，１０が一対のプラスチックシート２０，２０の間に挟まれた後に重なり合っているプラスチックシート２０，２０と複合シート１０，１０とを全長にわたってヒートシールするようにすることもできる。
【図面の簡単な説明】
【００６０】
【図１】本発明に係る食品用包装袋の一実施形態を示す斜視図
【図２】本発明に係る食品用包装袋の製造方法の一実施形態を説明するための概略図
【図３】本発明に係る食品用包装袋の製造方法の一実施形態を説明するための平面図
【図４】本発明に係る食品用包装袋の製造方法の一実施形態を説明するための平面図
【図５】本発明に係る食品用包装袋の製造方法の一実施形態を説明するための平面図
【図６】本発明に係る食品用包装袋の製造方法の一実施形態を説明するための平面図
【図７】従来の食品用包装袋の平面図
【図８】従来の食品用包装袋の食品を包装する前の斜視図
【図９】従来の食品用包装袋の食品を包装した後の斜視図
【符号の説明】
【００６１】
１…複合フィルム
２…プラスチックフィルム
３…シール部
１０…複合シート
１１…内縁
１２…外縁
１３…余分
１４…余分
２０…プラスチックシート
２１…端縁
２２…側縁
２３…側縁
Ａ…側面部
Ｂ…背面部
Ｃ…正面部
Ｅ…側縁
【図１】
2005132409.tif 000003
【図２】
2005132409.tif 000004
【図３】
2005132409.tif 000005
【図４】
2005132409.tif 000006
【図５】
2005132409.tif 000007
【図６】
2005132409.tif 000008
【図７】
2005132409.tif 000009
【図８】
2005132409.tif 000010
【図９】
2005132409.tif 000011